(57)【要約】エレベータ装置においては、かごを昇降させる駆動装置及び駆動装置を制御する制御装置が機械室に設置されている。機械室の床面には、凹部が設けられている。凹部内には、制御装置が収納されている。凹部には、凹部を開閉する蓋が設けられている。蓋は、凹部を閉じた状態で床面と連続した平面を構成する。
2004005175.tif 000002
【特許請求の範囲】
【請求項１】
床面を有する機械室、
上記機械室に設置され、かごを昇降させる駆動装置、及び
上記機械室に設置され、上記駆動装置を制御する制御装置
を備えているエレベータ装置であって、
上記機械室の上記床面には、凹部が設けられており、上記凹部内には、上記制御装置が収納されているエレベータ装置。
【請求項２】
上記凹部には、上記凹部を開閉する蓋が設けられており、上記蓋は、上記凹部を閉じた状態で上記床面と連続した平面を構成する請求項１記載のエレベータ装置。
【請求項３】
上記制御装置の一部が上記蓋の裏面に搭載されている請求項２記載のエレベータ装置。
【請求項４】
上記制御装置は、筐体を有しており、上記筐体は、上記床面と連続した平面を構成する筐体上面を有している請求項１記載のエレベータ装置。
【請求項５】
上記制御装置は、複数の分割ユニットに分割されており、上記各分割ユニットは、それぞれ独立して上記凹部から取り出し可能になっている請求項１記載のエレベータ装置。
【請求項６】
上記機械室の上記凹部の上方には、上記制御装置を吊り上げるための揚重装置が設けられている請求項１記載のエレベータ装置。
【発明の詳細な説明】
【技術分野】  この発明は、駆動装置及び制御装置が機械室内に設置されているエレベータ装置に関するものである。
【背景技術】  図９は従来のエレベータ装置の機械室の一例を示す平面図、図１０は図９の機械室の断面図である。図において、かご（図示せず）が昇降される昇降路１の上部には、機械室２が配置されている。機械室２は、床面３、側壁４及び天井５を有している。側壁４には、出入口４ａが設けられている。
床面３上には、かごを昇降させる駆動装置（巻上機）６と、駆動装置６を制御する制御装置（制御盤）７とが設置されている。駆動装置６は、周囲に保守点検作業スペースを確保するように配置されている。また、制御装置７は、前面扉７ａを有しており、前面扉７ａを開いて保守点検作業を行えるように設置されている。
上記のような従来のエレベータ装置では、駆動装置６及び制御装置７の設置スペースの他に、駆動装置６及び制御装置７の保守点検作業スペースと、保守点検作業時の作業者の移動スペースとを機械室２内に確保する必要があるため、機械室２の床面積が大きくなってしまう。
【発明の開示】
この発明は、上記のような課題を解決するためになされたものであり、機械室内の省スペース化を図ることができるエレベータ装置を得ることを目的とする。
この発明によるエレベータ装置は、床面を有する機械室、機械室に設置され、かごを昇降させる駆動装置、及び機械室に設置され、駆動装置を制御する制御装置を備え、機械室の床面には、凹部が設けられており、凹部内には、制御装置が収納されているものである。
【図面の簡単な説明】  図１はこの発明の実施の形態１によるエレベータ装置の機械室内部を示す平面図、
図２は図１の機械室の断面図、
図３はこの発明の実施の形態２によるエレベータ装置の機械室内部を示す平面図、
図４は図３の機械室の断面図、
図５はこの発明の実施の形態３によるエレベータ装置の機械室内部を示す平面図、
図６は図５の機械室の断面図、
図７はこの発明の実施の形態４によるエレベータ装置の機械室内部を示す平面図、
図８は図７の機械室の断面図、
図９は従来のエレベータ装置の機械室の一例を示す平面図、
図１０は図９の機械室の断面図である。
【発明を実施するための最良の形態】  以下、この発明の好適な実施の形態について図面を参照して説明する。
実施の形態１．
図１はこの発明の実施の形態１によるエレベータ装置の機械室内部を示す平面図、図２は図１の機械室の断面図である。図において、かご（図示せず）が昇降される昇降路１１の上部には、機械室１２が配置されている。機械室１２は、床面１３、側壁１４及び天井１５を有している。側壁１４には、出入口１４ａが設けられている。床面１３上には、かごを昇降させる駆動装置（巻上機）６が設置されている。
床面１３には、凹部１６が設けられている。凹部１６は、底面１６ａと、底面１６ａに対向する開口部１６ｂとを有している。凹部１６には、開口部１６ａを開閉する平板状の蓋１７が設けられている。図１は蓋１７を閉じた状態、図２は蓋１７を開いた状態を示している。
また、蓋１７は、凹部１６を閉じた状態で床面１３と連続した平面を構成する。さらに、蓋１７の上には作業者が乗ることが可能であり、蓋１７上は、駆動装置６に対する保守点検作業時の移動スペース又は作業スペースとなっている。
凹部１６内には、駆動装置６及びその他の機器を制御する制御装置（制御盤）１８が収納されている。制御装置１８は、凹部１６内に収納したままで蓋１７を開くだけで保守点検可能な向きで凹部１６内に収納されている。即ち、制御装置１８は、その前面が上を向くように底面１６ａ上に置かれている。
このようなエレベータ装置では、制御装置１８の設置スペースが駆動装置６に対する保守点検作業時の移動スペース又は作業スペースを兼ねているため、機械室１２内の省スペース化を図ることができる。
また、制御装置１８に対する保守点検作業は、蓋１７を開くだけで容易に行うことができる。
さらに、凹部１６の開口部１６ｂを開閉する蓋１７を設けたので、制御装置１８自体の強度を変更することなく、移動スペース又は作業スペースの床の一部として十分な強度を確保することができ、制御装置１８を保護することができる。
なお、実施の形態１では、開口部１６ｂを１枚の蓋で開閉するようにしたが、複数枚の蓋により部分的に開閉するようにしてもよい。この場合、各蓋の重量が軽くなり、開閉が容易である。
また、実施の形態１では、回動により開閉される蓋１７を示したが、床面１３と平行にスライドされることにより開閉される蓋や、床面１３から完全に取り外される蓋であってもよい。
さらに、蓋には、開閉時に作業者が掴む把手を設けてもよい。また、把手は、開閉時に一時的に蓋に接続されるものでもよい。この場合、開閉時以外には、蓋の表面を平面に保つことができ、把手が移動や作業の障害となることがない。
さらにまた、実施の形態１では、手動により開閉される蓋１７を示したが、電動モータ等により駆動され開閉される蓋であってもよい。
また、蓋に透明な窓を設けたり、蓋全体を透明な材料で構成したりしてもよく、これにより蓋を閉じたままでも制御装置１８の目視点検を行うことができる。
さらに、蓋に通気孔を設けてもよい。また、通気孔にファン装置を設けてもよい。
さらにまた、実施の形態１では、底面１６ａ上に制御装置１８を置いたが、制御装置の重量が軽い場合には、制御装置を蓋の裏面に搭載してもよい。
実施の形態２．
次に、図３はこの発明の実施の形態２によるエレベータ装置の機械室内部を示す平面図、図４は図３の機械室の断面図である。また、図３及び図４は、蓋１７が開いた状態を示している。図において、凹部１６内には、駆動装置６及びその他の機器を制御する制御装置（制御盤）１９が収納されている。制御装置１９は、底面１６ａ上に置かれた制御装置本体１９ａと、蓋１７の裏面に搭載された分割部１９ｂとを有している。他の構成は、実施の形態１と同様である。
このようなエレベータ装置では、制御装置１９の設置スペースが駆動装置６に対する保守点検作業時の移動スペース又は作業スペースを兼ねているため、機械室１２内の省スペース化を図ることができる。
また、蓋１７の裏面に分割部１９ｂが搭載されているので、蓋１７を開いたときに露出される制御装置１９の面積が拡張される。即ち、保守点検可能な制御機器の配置面積が、蓋１７に分割部１９ｂが搭載されていない場合の２倍程度まで広がる。従って、制御装置１９に対する保守点検作業の作業性を向上させることができる。
実施の形態３．
次に、図５はこの発明の実施の形態３によるエレベータ装置の機械室内部を示す平面図、図６は図５の機械室の断面図である。図において、凹部１６内には、駆動装置６及びその他の機器を制御する制御装置（制御盤）２０が収納されている。制御装置２０は、第１及び第２の分割ユニット２１，２２に分割されている。各分割ユニット２１，２２は、それぞれ独立して凹部１６から取り出し可能になっている。また、各分割ユニット２１，２２は、作業者により運搬可能な重量に構成されている。
また、第１及び第２の分割ユニット２１，２２は、それぞれ筐体２１ａ，２２ａを有している。筐体２１ａ，２２ａは、床面１３と連続した平面を構成する筐体上面２１ｂ，２２ｂを有している。筐体上面２１ｂ，２２ｂの上には作業者が乗ることが可能であり、筐体上面２１ｂ，２２ｂ上は、駆動装置６に対する保守点検作業時の移動スペース又は作業スペースとなっている。
さらに、筐体上面２１ｂ，２２ｂには、取っ手２１ｃ，２２ｃが設けられている。取っ手２１ｃ，２２ｃは、筐体上面２１ｂ，２２ｂから突出しないように設けられている。他の構成は、実施の形態１と同様である。
このようなエレベータ装置では、制御装置２０の設置スペースが駆動装置６に対する保守点検作業時の移動スペース又は作業スペースを兼ねているため、機械室１２内の省スペース化を図ることができる。
また、制御装置２０の一部である筐体上面２１ｂ，２２ｂが移動スペース又は作業スペースの床の一部となるので、凹部１６は開放されたままであり、構成が簡単であるとともに、制御装置２０に対する保守点検作業が容易である。
さらに、制御装置２０は、第１及び第２の分割ユニット２１，２２に分割されており、各分割ユニット２１，２２は、それぞれ独立して凹部１６から取り出し可能になっているので、制御装置２０の部分的な交換が容易である。
なお、実施の形態３では、制御装置２０を２つの分割ユニット２１，２２に分割したが、３個以上の分割ユニットに分割してもよい。
また、分割ユニットは互いに異なるサイズ、形状としてもよい。
さらに、実施の形態３では、共通の凹部１６に２つの分割ユニット２１，２２を収納したが、床面に複数の凹部を設け、分割ユニットを別々に収納してもよい。
実施の形態４．
次に、図７はこの発明の実施の形態４によるエレベータ装置の機械室内部を示す平面図、図８は図７の機械室の断面図である。図において、凹部１６内には、駆動装置６及びその他の機器を制御する制御装置（制御盤）２３が収納されている。制御装置２３は、筐体２２ａを有している。
筐体２３ａは、床面１３と連続した平面を構成する筐体上面２３ｂを有している。筐体上面２３ｂの上には作業者が乗ることが可能であり、筐体上面２３ｂ上は、駆動装置６に対する保守点検作業時の移動スペース又は作業スペースとなっている。
凹部１６の上方の天井１５には、フック２４が固定されている。フック２４には、ワイヤ等の吊り具２６を介して制御装置２３を吊り上げるための揚重装置２５が取り付けられている。揚重装置２５としては、例えばチェーンブロック又はウインチ等が用いられる。他の構成は、実施の形態１と同様である。
このようなエレベータ装置では、制御装置２３の設置スペースが駆動装置６に対する保守点検作業時の移動スペース又は作業スペースを兼ねているため、機械室１２内の省スペース化を図ることができる。
また、制御装置２３の一部である筐体上面２３ｂが移動スペース又は作業スペースの床の一部となるので、凹部１６は開放されたままであり、構成が簡単であるとともに、制御装置２３に対する保守点検作業が容易である。
さらに、揚重装置２５により制御装置２３を持ち上げることができるので、制御装置２３全体の交換を容易に行うことができる。
【図１】
2004005175.tif 000003
【図２】
2004005175.tif 000004
【図３】
2004005175.tif 000005
【図４】
2004005175.tif 000006
【図５】
2004005175.tif 000007
【図６】
2004005175.tif 000008
【図７】
2004005175.tif 000009
【図８】
2004005175.tif 000010
【図９】
2004005175.tif 000011
【図１０】
2004005175.tif 000012
【国際調査報告】
2004005175.tif 000013
2004005175.tif 000014
2004005175.tif 000015
2004005175.tif 000016